(57)【要約】【課題】ユーザによる有料放送の視聴要求に応じて、早急に視聴を許可するものでありながら、番組提供者にとっては視聴者の特定を容易になし得る有料番組提供システムを提供する。【解決手段】有料番組の映像情報、および所定の通信サーバにアクセスするためのアドレス情報を受信し、該アドレス情報を画面表示するテレビ放送受信装置と、画面表示されたアドレス情報を取得し、通信サーバにアクセスする通信端末と、アクセスに応じて通信端末と通信を行う通信サーバと、を有しており、テレビ放送受信装置は、所定の鍵情報が入力された場合にのみ、映像情報を画面表示するものであり、通信端末は、そのＩＤ情報を通信サーバに送信し、通信サーバはその通信端末等へ鍵情報を送信し、通信端末はさらに該鍵情報を取得し、テレビ放送受信装置へ出力する有料番組提供システムとする。【選択図】図１５
2008103786.tif 000002
【特許請求の範囲】
【請求項１】
有料番組の映像情報、および所定の通信サーバにアクセスするためのアドレス情報を受信し、該アドレス情報を画面表示するテレビ放送受信装置と、
前記画面表示されたアドレス情報を取得し、前記通信サーバにアクセスする通信端末と、
前記アクセスに応じて、前記通信端末と通信を行う前記通信サーバと、を有し、
前記有料番組の映像情報を、前記テレビ放送受信装置に画面表示させる、有料番組提供システムであって、
前記テレビ放送受信装置は、
所定の鍵情報が入力された場合にのみ、前記映像情報を画面表示するものであり、
前記通信端末は、
該通信端末のＩＤ情報を前記通信サーバに送信し、
前記通信サーバは、
前記ＩＤ情報を送信した前記通信端末または該通信端末によりアクセス可能な通信装置へ、前記鍵情報を送信し、
前記通信端末はさらに、該鍵情報を取得し、前記テレビ放送受信装置へ出力するものであることを特徴とする有料番組提供システム。
【請求項２】
スクランブル処理のなされた有料番組の映像情報、および所定の通信サーバにアクセスするためのアドレス情報を受信し、該アドレス情報を画面表示するテレビ放送受信装置と、
前記画面表示されたアドレス情報を取得し、前記通信サーバにアクセスする通信端末と、
前記アクセスに応じて、前記通信端末と通信を行う前記通信サーバと、を有し、
前記有料番組の映像情報を、前記テレビ放送受信装置に画面表示させる、有料番組提供システムであって、
前記スクランブル処理は、所定の鍵情報を用いたスクランブル解除処理により、解除可能であり、
前記テレビ放送受信装置は、
前記鍵情報が入力された場合にのみ、前記スクランブル解除処理を行って、前記映像情報を画面表示するものであり、
前記通信端末は、
該通信端末のＩＤ情報を前記通信サーバに送信し、
前記通信サーバは、
前記ＩＤ情報を送信した前記通信端末または該通信端末によりアクセス可能な通信装置へ、前記鍵情報を送信し、
前記通信端末はさらに、該鍵情報を取得し、前記テレビ放送受信装置へ出力するものであることを特徴とする有料番組提供システム。
【請求項３】
前記テレビ放送受信装置は、
受信した前記アドレス情報に基づいて、該アドレス情報の内容が符号化されたＱＲコード（登録商標）を生成するＱＲコード生成部を有し、
該ＱＲコードを、前記アドレス情報として画面表示することを特徴とする請求項１または請求項２に記載の有料番組提供システム。
【請求項４】
前記テレビ放送受信装置は、
前記有料番組の種類を示す番組識別情報をも受信し、
前記ＱＲコード生成部は、受信した前記アドレス情報および該番組識別情報に基づいて、これらの情報の内容が符号化されたＱＲコードを生成することを特徴とする請求項３に記載の有料番組提供システム。
【請求項５】
前記通信端末は、
前記画面表示されたＱＲコードを撮像し、該ＱＲコードに符号化された情報を取得する情報取得部を備えたことを特徴とする請求項３または請求項４に記載の有料番組提供システム。
【請求項６】
前記テレビ放送受信装置は、
前記番組が有料番組であるか否かを示す有料識別情報をも受信し、
該情報に基づいて前記番組が有料番組であるか否かを識別し、有料番組である場合にのみ、前記アドレス情報を画面表示することを特徴とする請求項１から請求項５の何れかに記載の有料番組提供システム。
【請求項７】
前記テレビ放送受信装置は、
前記番組が有料番組であると識別したときに、該番組が有料番組であることをユーザへ通知するための通知画像を画面表示させる、通知画像表示部を備えたことを特徴とする請求項６に記載の有料番組提供システム。
【請求項８】
前記テレビ放送受信装置は、
前記通知画像を複数種類記憶する、通知画像記憶部を備え、
前記通知画像表示部は、前記複数種類の通知画像のうちの何れかを画面表示させることを特徴とする請求項７に記載の有料番組提供システム。
【請求項９】
前記テレビ放送受信装置は、
前記複数種類の通知画像のうちの何れを表示させるべきかを示す、通知画像選定情報をも受信し、
前記通知画像表示部は、該通知画像選定情報に基づいて、何れの前記通知画像を画面表示させるかを定めることを特徴とする請求項８に記載の有料番組提供システム。
【請求項１０】
前記テレビ放送受信装置は、
前記通知画像の情報も受信し、
前記通知画像表示部は、該通知画像を画面表示させることを特徴とする請求項７に記載の有料番組提供システム。
【請求項１１】
前記通信端末は、
前記番組識別情報を前記通信サーバへ送信するものであって、
前記通信サーバは、
前記通信端末から受信した前記番組識別情報に応じて、予め記憶している所定の送信用情報を、該通信端末に送信することを特徴とする請求項４に記載の有料番組提供システム。
【請求項１２】
前記送信用情報は、
前記有料番組が有料であること、前記有料番組の番組名、および前記有料番組の視聴料の各々をユーザに伝えるための情報を含むことを特徴とする請求項１１に記載の有料番組提供システム。
【請求項１３】
前記送信用情報は、
前記有料番組が有料であること、および前記有料番組の視聴料の支払いを、通信端末の料金徴収サービスに代行させることが可能であることの双方を、ユーザに伝えるための情報を含むことを特徴とする請求項１１に記載の有料番組提供システム。
【請求項１４】
前記通信端末は、
前記番組識別情報を前記通信サーバへ送信するものであって、
前記通信サーバは、
前記通信端末から受信した前記番組識別情報に応じて、予め記憶しているプログラムを、該通信端末に送信するものであり、
該プログラムは、前記通信端末に所定の画像を画面表示させるものであることを特徴とする請求項４に記載の有料番組提供システム。
【請求項１５】
前記通信端末および前記テレビ放送受信装置は、互いに赤外線通信を実行するための赤外線通信手段を備えており、
前記通信端末は、該赤外線通信手段を通じて、前記鍵情報を前記テレビ放送受信装置に送信することを特徴とする請求項１から請求項１４の何れかに記載の有料番組提供システム。
【請求項１６】
前記通信サーバは、所定の暗号解除処理によって解除される暗号化処理を、前記鍵情報に施すものであって、
前記テレビ放送受信装置は、前記暗号解除処理を行うことにより、前記鍵情報を取得するものであることを特徴とする請求項１から請求項１５の何れかに記載の有料番組提供システム。
【請求項１７】
請求項１から請求項１６の何れかに記載の有料番組提供システムにおける、前記有料番組の提供方法であって、
前記テレビ放送受信装置が、前記アドレス情報を受信し、該アドレス情報を画面表示する第１ステップと、
前記通信端末が、該画面表示されたアドレス情報を示す画像を取得し、前記通信サーバにアクセスする第２ステップと、
前記通信端末が、該通信端末のＩＤ情報を前記通信サーバに送信する第３ステップと、
前記通信サーバが、前記ＩＤ情報を送信した前記通信端末または該通信端末によりアクセス可能な通信装置へ、前記鍵情報を送信する第４ステップと、
前記通信端末が、該鍵情報を取得し、前記テレビ放送受信装置へ出力する第５ステップと、
前記テレビ放送受信装置が、該鍵情報を取得する第６ステップと、
を含むことを特徴とする有料番組の提供方法。
【請求項１８】
有料番組の映像情報、および所定の通信サーバにアクセスするためのアドレス情報を放送するテレビ放送局と、
前記映像情報およびアドレス情報を受信し、該アドレス情報を画面表示するテレビ放送受信装置と、
前記画面表示されたアドレス情報を取得し、前記通信サーバにアクセスする通信端末と、
前記アクセスに応じて、前記通信端末と通信を行う前記通信サーバと、を有し、
前記有料番組の映像情報を、前記テレビ放送受信装置に画面表示させる、有料番組提供システムであって、
前記テレビ放送受信装置は、
所定の鍵情報が入力された場合にのみ、前記映像情報を画面表示するものであり、
前記通信端末は、
該通信端末のＩＤ情報を前記通信サーバに送信し、
前記通信サーバは、
前記ＩＤ情報を送信した前記通信端末または該通信端末によりアクセス可能な通信装置へ、前記鍵情報を送信し、
前記通信端末はさらに、該鍵情報を取得し、前記テレビ放送受信装置へ出力するものであることを特徴とする有料番組提供システム。
【請求項１９】
スクランブル処理のなされた有料番組の映像情報、および所定の通信サーバにアクセスするためのアドレス情報を放送するテレビ放送局と、
前記映像情報およびアドレス情報を受信し、該アドレス情報を画面表示するテレビ放送受信装置と、
前記画面表示されたアドレス情報を取得し、前記通信サーバにアクセスする通信端末と、
前記アクセスに応じて、前記通信端末と通信を行う前記通信サーバと、を有し、
前記有料番組の映像情報を、前記テレビ放送受信装置に画面表示させる、有料番組提供システムであって、
前記スクランブル処理は、所定の鍵情報を用いたスクランブル解除処理により、解除可能であり、
前記テレビ放送受信装置は、
前記鍵情報が入力された場合に、前記スクランブル解除処理を行って、前記映像情報を画面表示するものであり、
前記通信端末は、
該通信端末のＩＤ情報を前記通信サーバに送信し、
前記通信サーバは、
前記ＩＤ情報を送信した前記通信端末または該通信端末によりアクセス可能な通信装置へ、前記鍵情報を送信し、
前記通信端末はさらに、該鍵情報を取得し、前記テレビ放送受信装置へ出力するものであることを特徴とする有料番組提供システム。
【請求項２０】
請求項１８または請求項１９に記載の有料番組提供システムにおける、前記有料番組の提供方法であって、
前記テレビ放送局が、前記有料番組の映像情報、および前記アドレス情報を放送する第１ステップと、
前記テレビ放送受信装置が、該アドレス情報を受信し、該アドレス情報を示す画像を画面表示する第２ステップと、
前記通信端末が、該画面表示されたアドレス情報を示す画像を取得し、前記通信サーバにアクセスする第３ステップと、
前記通信端末が、該通信端末のＩＤ情報を前記通信サーバに送信する第４ステップと、
前記通信サーバが、前記ＩＤ情報を送信した前記通信端末または該通信端末によりアクセス可能な通信装置へ、前記鍵情報を送信する第５ステップと、
前記通信端末が、該鍵情報を取得し、前記テレビ放送受信装置へ出力する第６ステップと、
前記テレビ放送受信装置が、該鍵情報を取得する第７ステップと、
を含むことを特徴とする有料番組の提供方法。
【請求項２１】
有料番組の映像情報と；所定の通信サーバにアクセスするためのアドレス情報と；前記番組が有料番組であるか否かを示す有料識別情報と；を含むテレビ放送を受信し、前記映像情報を画面表示させる、テレビ放送受信装置であって、
前記有料識別情報に基づいて、前記番組が有料番組であるか否かを識別する、有料識別部と、
前記アドレス情報に基づいて、該アドレス情報の内容が符号化されたＱＲコードを生成する、ＱＲコード生成部と、
前記有料識別部により前記番組が有料番組であると識別したときに、前記ＱＲコードを画面表示させる、ＱＲコード表示部と、
を備えたことを特徴とするテレビ放送受信装置。
【請求項２２】
前記有料識別部により受信する番組が有料番組であると識別したときに、該番組が有料番組であることをユーザへ通知するための通知画像を画面表示させる、通知画像表示部を備えたことを特徴とする、請求項２１に記載のテレビ放送受信装置。
【請求項２３】
前記通知画像を複数種類記憶する、通知画像記憶部を備え、
前記通知画像表示部は、前記複数種類の通知画像のうちの何れかを画面表示させることを特徴とする請求項２２に記載のテレビ放送受信装置。
【請求項２４】
前記複数種類の通知画像のうちの何れを表示させるべきかを示す、通知画像選定情報をも含むテレビ放送を受信する請求項２３に記載のテレビ放送受信装置であって、
前記通知画像表示部は、該通知画像選定情報に基づいて、何れの前記通知画像を画面表示させるかを定めることを特徴とするテレビ放送受信装置。
【請求項２５】
前記通知画像の情報をも含むテレビ放送を受信する、請求項２４に記載のテレビ放送受信装置であって、
前記通知画像表示部は、該通知画像を画面表示させることを特徴とするテレビ放送受信装置。
【発明の詳細な説明】
【技術分野】
【０００１】
本発明は、ユーザへ有料番組を提供するための有料番組提供システム、ならびにテレビ放送受信装置に関する。
【背景技術】
【０００２】
従来、テレビ放送の番組の一部では、有料番組の形態をとっているものがある。この有料番組を視聴するにあたっては、例えば、番組を提供する提供者とユーザ（有料番組を視聴しようとする者）との間で、事前に視聴契約を結んでおくようにするのが一般的である。そして例えば、契約を結んだユーザだけが、映像に施されているスクランブル処理を解除して、視聴できるようになっている。
【０００３】
なお番組提供者とユーザとの契約態様については、例えば月々定額の視聴料支払いにより視聴可能とするものや、１番組あたりの視聴料を決めておいて、この視聴料を支払うことにより、当該番組を視聴できるようにするものなど、種々のものが存在する。
【特許文献１】特開平１１−００４４２４号公報
【特許文献２】特開２００５−２７７９７５号公報
【発明の開示】
【発明が解決しようとする課題】
【０００４】
上述した従来の方法では、番組提供者とユーザとの間で事前の契約が前提となっており、ユーザは予め、番組提供者と何らかの契約を締結しておかないと、有料放送サービスを受けることが難しかった。そのため契約を交わしていないユーザにとっては、間もなく（例えば１０分後に）視聴したい有料番組が放送されると分かった場合に、事前の契約が間に合わず、その番組を視聴することができないという不便さがあった。
【０００５】
この点、例えばあらゆるユーザが特段の契約もなく有料放送を視聴できるようにしておき、事後的に視聴料を徴収する方法によれば、上述の不便さは解消されるようにも見える。しかしこのようにすると、番組提供者にとっては、視聴者の特定や料金の徴収が困難となるおそれがある。そのため有料放送の視聴を許可するにあたっては、事前に何らかの方法で視聴者の特定を行っておき、また視聴料の徴収先を確保しておきたいと考えるのが通常である。
【０００６】
そこで本発明は、上記の問題点に鑑み、ユーザによる有料放送の視聴要求に応じて、早急に視聴を許可するものでありながら、番組提供者にとっては視聴者の特定を容易になし得る有料番組提供システム、ならびに、かかる有料番組提供システムに好適なテレビ放送受信装置の提供を目的とする。
【課題を解決するための手段】
【０００７】
上記目的を達成するため、本発明に係る有料番組提供システムは、有料番組の映像情報、および所定の通信サーバにアクセスするためのアドレス情報を受信し、該アドレス情報を画面表示するテレビ放送受信装置と、前記画面表示されたアドレス情報を取得し、前記通信サーバにアクセスする通信端末と、前記アクセスに応じて、前記通信端末と通信を行う前記通信サーバと、を有し、前記有料番組の映像情報を、前記テレビ放送受信装置に画面表示させる、有料番組提供システムであって、前記テレビ放送受信装置は、所定の鍵情報が入力された場合にのみ、前記映像情報を画面表示するものであり、前記通信端末は、該通信端末のＩＤ情報を前記通信サーバに送信し、前記通信サーバは、前記ＩＤ情報を送信した前記通信端末または該通信端末によりアクセス可能な通信装置へ、前記鍵情報を送信し、前記通信端末はさらに、該鍵情報を取得し、前記テレビ放送受信装置へ出力するものである構成（第１の構成）とする。
【０００８】
本構成によれば、テレビ放送受信装置は所定の鍵情報が入力された場合にのみ、有料番組の映像情報を画面表示するから、かかる鍵情報を適切に管理することにより、有料番組に視聴制限を加えることができる。また通信サーバは、ＩＤ情報を送信してきた通信端末または該通信端末によりアクセス可能な通信装置へ、鍵情報を送信することとしているから、通信サーバの管理者はＩＤ情報を取得することにより、容易に視聴者の特定等を行うことができる。
【０００９】
また通信サーバは、ＩＤ情報を送信してきた通信端末等に対して鍵情報を送信すればよいため、かかる鍵情報の送信を比較的素早く実行することが可能である。そのため、有料放送を視聴するための鍵情報を、早急にユーザ側へ届けることが容易となる。以上により、ユーザによる有料放送の視聴要求に応じて、早急に視聴を許可するものでありながら、番組提供者にとっては視聴者の特定を容易になし得る有料番組提供システムとすることができる。
【００１０】
なお「通信端末によりアクセス可能な通信装置」としては、例えば通信端末（携帯電話機）に対応するメールサーバ等が挙げられる。
【００１１】
また本発明に係る有料番組提供システムは、スクランブル処理のなされた有料番組の映像情報、および所定の通信サーバにアクセスするためのアドレス情報を受信し、該アドレス情報を画面表示するテレビ放送受信装置と、前記画面表示されたアドレス情報を取得し、前記通信サーバにアクセスする通信端末と、前記アクセスに応じて、前記通信端末と通信を行う前記通信サーバと、を有し、前記有料番組の映像情報を、前記テレビ放送受信装置に画面表示させる、有料番組提供システムであって、前記スクランブル処理は、所定の鍵情報を用いたスクランブル解除処理により、解除可能であり、前記テレビ放送受信装置は、前記鍵情報が入力された場合にのみ、前記スクランブル解除処理を行って、前記映像情報を画面表示するものであり、前記通信端末は、該通信端末のＩＤ情報を前記通信サーバに送信し、前記通信サーバは、前記ＩＤ情報を送信した前記通信端末または該通信端末によりアクセス可能な通信装置へ、前記鍵情報を送信し、前記通信端末はさらに、該鍵情報を取得し、前記テレビ放送受信装置へ出力する構成（第２の構成）とする。
【００１２】
本構成によれば、テレビ放送受信装置は所定の鍵情報が入力された場合にのみ、有料番組の映像情報に施されたスクランブル処理を解除するから、かかる鍵情報を適切に管理することにより、有料番組に視聴制限を加えることができる。また通信サーバは、ＩＤ情報を送信してきた通信端末または該通信端末によりアクセス可能な通信装置へ、鍵情報を送信することとしているから、通信サーバの管理者はＩＤ情報を取得することにより、容易に視聴者の特定等を行うことができる。
【００１３】
また通信サーバは、ＩＤ情報を送信してきた通信端末等に対して鍵情報を送信すればよいため、かかる鍵情報の送信を比較的素早く実行することが可能である。そのため、有料放送を視聴するための鍵情報を、早急にユーザ側へ届けることが容易となる。以上により、ユーザによる有料放送の視聴要求に応じて、早急に視聴を許可するものでありながら、番組提供者にとっては視聴者の特定を容易になし得る有料番組提供システムとすることができる。
【００１４】
また、上記第１または第２の構成において、前記テレビ放送受信装置は、受信した前記アドレス情報に基づいて、該アドレス情報の内容が符号化されたＱＲコード（登録商標）を生成するＱＲコード生成部を有し、該ＱＲコードを、前記アドレス情報として画面表示する構成（第３の構成）としてもよい。
【００１５】
本構成によれば、テレビ放送受信装置により、アドレス情報の内容が符号化されたＱＲコードが画面表示される。そのため撮像手段ならびにＱＲコードをデコードする手段を備える携帯端末によれば、アドレス情報の内容を簡易に取得することが可能となる。
【００１６】
また、上記第３の構成において、前記テレビ放送受信装置は、前記有料番組の種類を示す番組識別情報をも受信し、前記ＱＲコード生成部は、受信した前記アドレス情報および該番組識別情報に基づいて、これらの情報の内容が符号化されたＱＲコードを生成する構成（第４の構成）としてもよい。
【００１７】
本構成によれば、ユーザがどの有料番組を視聴しようとしているかを、通信端末を介して通信サーバに報知させることが容易となる。そのため、通信サーバにおいては、ユーザの視聴しようとしている有料番組に即した情報を提供することが容易となる。
【００１８】
また、上記第３または第４の構成において、前記通信端末は、前記画面表示されたＱＲコードを撮像し、該ＱＲコードに符号化された情報を取得する情報取得部を備えた構成（第５の構成）としてもよい。本構成によれば、テレビ放送受信装置の保持している情報を、通信端末に取得させることが容易となる。
【００１９】
また上記第１から第５の何れかの構成において、前記テレビ放送受信装置は、前記番組が有料番組であるか否かを示す有料識別情報をも受信し、該情報に基づいて前記番組が有料番組であるか否かを識別し、有料番組である場合にのみ、前記アドレス情報を画面表示する構成（第６の構成）としてもよい。
【００２０】
本構成によれば、有料番組を受信していない場合（無料番組を受信しているとき等）においては、アドレス情報の画面表示を省略することができる。そのため、テレビ放送受信装置の処理負担を軽減させることができる。
【００２１】
また上記第６の構成において、前記テレビ放送受信装置は、前記番組が有料番組であると識別したときに、該番組が有料番組であることをユーザへ通知するための通知画像を画面表示させる、通知画像表示部を備えた構成（第７の構成）としてもよい。本構成によれば、視聴しようとしている番組が有料番組であることを、より確実にユーザに認識させることができる。
【００２２】
また上記第７の構成において、前記テレビ放送受信装置は、前記通知画像を複数種類記憶する、通知画像記憶部を備え、前記通知画像表示部は、前記複数種類の通知画像のうちの何れかを画面表示させる構成（第８の構成）としてもよい。本構成によれば、例えば有料番組の種類に応じて、表示させる通知画像を選択させることにより、より的確な情報をユーザに伝えることが可能となる。
【００２３】
また上記第８の構成において、前記テレビ放送受信装置は、前記複数種類の通知画像のうちの何れを表示させるべきかを示す、通知画像選定情報をも受信し、前記通知画像表示部は、該通知画像選定情報に基づいて、何れの前記通知画像を画面表示させるかを定める構成（第９の構成）としてもよい。本構成により、有料番組の種類に応じた、的確な情報をユーザに伝えることが容易となる。
【００２４】
また上記第７の構成において、前記テレビ放送受信装置は、前記通知画像の情報も受信し、前記通知画像表示部は、該通知画像を画面表示させる構成（第１０の構成）としてもよい。本構成によれば、テレビ放送受信装置は、通知画像の情報そのものを受信するため、有料番組に応じた、非常に的確な情報をユーザに伝えることが容易となる。
【００２５】
また上記第４の構成において、前記通信端末は、前記番組識別情報を前記通信サーバへ送信するものであって、前記通信サーバは、前記通信端末から受信した前記番組識別情報に応じて、予め記憶している所定の送信用情報を、該通信端末に送信する構成（第１１の構成）としてもよい。本構成によれば、例えば送信用情報として有料番組の内容などを準備しておき、通信端末を介してユーザに認識させることが容易となる。
【００２６】
また上記第１１の構成についてより具体的には、前記送信用情報は、前記有料番組が有料であること、前記有料番組の番組名、および前記有料番組の視聴料の各々をユーザに伝えるための情報を含む構成（第１２の構成）としてもよい。
【００２７】
また上記第１１の構成についてより具体的には、前記送信用情報は、前記有料番組が有料であること、および前記有料番組の視聴料の支払いを、通信端末の料金徴収サービスに代行させることが可能であることの双方を、ユーザに伝えるための情報を含む構成（第１３の構成）としてもよい。
【００２８】
また上記第４の構成において、前記通信端末は、前記番組識別情報を前記通信サーバへ送信するものであって、前記通信サーバは、前記通信端末から受信した前記番組識別情報に応じて、予め記憶しているプログラムを、該通信端末に送信するものであり、該プログラムは、前記通信端末に所定の画像を画面表示させるものである構成（第１４の構成）としてもよい。本構成によれば、通信サーバにより、通信端末側に有料番組の種類に応じた情報を提供することが可能となる。
【００２９】
また上記第１から第１４の何れかの構成において、前記通信端末および前記テレビ放送受信装置は、互いに赤外線通信を実行するための赤外線通信手段を備えており、前記通信端末は、該赤外線通信手段を通じて、前記鍵情報を前記テレビ放送受信装置に送信する構成（第１５の構成）としてもよい。本構成によれば、赤外線通信を通じて、鍵情報を簡便にテレビ放送受信装置に伝送することができる。
【００３０】
また上記第１から第１５の何れかの構成において、前記通信サーバは、所定の暗号解除処理によって解除される暗号化処理を、前記鍵情報に施すものであって、前記テレビ放送受信装置は、前記暗号解除処理を行うことにより、前記鍵情報を取得するものである構成（第１６の構成）としてもよい。
【００３１】
また上記第１から第１６の何れかの構成に係る有料番組提供システムにおける、前記有料番組の提供方法であって、前記テレビ放送受信装置が、前記アドレス情報を受信し、該アドレス情報を画面表示する第１ステップと、前記通信端末が、該画面表示されたアドレス情報を示す画像を取得し、前記通信サーバにアクセスする第２ステップと、前記通信端末が、該通信端末のＩＤ情報を前記通信サーバに送信する第３ステップと、前記通信サーバが、前記ＩＤ情報を送信した前記通信端末または該通信端末によりアクセス可能な通信装置へ、前記鍵情報を送信する第４ステップと、前記通信端末が、該鍵情報を取得し、前記テレビ放送受信装置へ出力する第５ステップと、前記テレビ放送受信装置が、該鍵情報を取得する第６ステップと、を含む内容（第１７の内容）の有料番組の提供方法であれば、上記第１から第１６の何れかの構成に係る有料番組提供システムを用いて、ユーザおよび有料番組提供者の双方の要求を極力満たすことが可能なサービスを実現できる。
【００３２】
また本発明に係る有料番組提供システムは、有料番組の映像情報、および所定の通信サーバにアクセスするためのアドレス情報を放送するテレビ放送局と、前記映像情報およびアドレス情報を受信し、該アドレス情報を画面表示するテレビ放送受信装置と、前記画面表示されたアドレス情報を取得し、前記通信サーバにアクセスする通信端末と、前記アクセスに応じて、前記通信端末と通信を行う前記通信サーバと、を有し、前記有料番組の映像情報を、前記テレビ放送受信装置に画面表示させる、有料番組提供システムであって、前記テレビ放送受信装置は、所定の鍵情報が入力された場合にのみ、前記映像情報を画面表示するものであり、前記通信端末は、該通信端末のＩＤ情報を前記通信サーバに送信し、前記通信サーバは、前記ＩＤ情報を送信した前記通信端末または該通信端末によりアクセス可能な通信装置へ、前記鍵情報を送信し、前記通信端末はさらに、該鍵情報を取得し、前記テレビ放送受信装置へ出力するものである構成（第１８の構成）とする。
【００３３】
また本発明に係る有料番組提供システムは、スクランブル処理のなされた有料番組の映像情報、および所定の通信サーバにアクセスするためのアドレス情報を放送するテレビ放送局と、前記映像情報およびアドレス情報を受信し、該アドレス情報を画面表示するテレビ放送受信装置と、前記画面表示されたアドレス情報を取得し、前記通信サーバにアクセスする通信端末と、前記アクセスに応じて、前記通信端末と通信を行う前記通信サーバと、を有し、前記有料番組の映像情報を、前記テレビ放送受信装置に画面表示させる、有料番組提供システムであって、前記スクランブル処理は、所定の鍵情報を用いたスクランブル解除処理により、解除可能であり、前記テレビ放送受信装置は、前記鍵情報が入力された場合に、前記スクランブル解除処理を行って、前記映像情報を画面表示するものであり、前記通信端末は、該通信端末のＩＤ情報を前記通信サーバに送信し、前記通信サーバは、前記ＩＤ情報を送信した前記通信端末または該通信端末によりアクセス可能な通信装置へ、前記鍵情報を送信し、前記通信端末はさらに、該鍵情報を取得し、前記テレビ放送受信装置へ出力するものである構成（第１９の構成）とする。
【００３４】
また上記第１８または第１９の構成に係る有料番組提供システムにおける、前記有料番組の提供方法であって、前記テレビ放送局が、前記有料番組の映像情報、および前記アドレス情報を放送する第１ステップと、前記テレビ放送受信装置が、該アドレス情報を受信し、該アドレス情報を示す画像を画面表示する第２ステップと、前記通信端末が、該画面表示されたアドレス情報を示す画像を取得し、前記通信サーバにアクセスする第３ステップと、前記通信端末が、該通信端末のＩＤ情報を前記通信サーバに送信する第４ステップと、前記通信サーバが、前記ＩＤ情報を送信した前記通信端末または該通信端末によりアクセス可能な通信装置へ、前記鍵情報を送信する第５ステップと、前記通信端末が、該鍵情報を取得し、前記テレビ放送受信装置へ出力する第６ステップと、前記テレビ放送受信装置が、該鍵情報を取得する第７ステップと、を含む内容（第２０の内容）の有料番組の提供方法であれば、上記第１８または第１９の構成に係る有料番組提供システムを用いて、ユーザおよび有料番組提供者の双方の要求を極力満たすことが可能なサービスを実現できる。
【００３５】
また本発明に係るテレビ放送受信装置は、有料番組の映像情報と；所定の通信サーバにアクセスするためのアドレス情報と；前記番組が有料番組であるか否かを示す有料識別情報と；を含むテレビ放送を受信し、前記映像情報を画面表示させる、テレビ放送受信装置であって、前記有料識別情報に基づいて、前記番組が有料番組であるか否かを識別する、有料識別部と、前記アドレス情報に基づいて、該アドレス情報の内容が符号化されたＱＲコードを生成する、ＱＲコード生成部と、前記有料識別部により前記番組が有料番組であると識別したときに、前記ＱＲコードを画面表示させる、ＱＲコード表示部と、を備えた構成（第２１の構成）とする。
【００３６】
また上記第２１の構成において、前記有料識別部により受信する番組が有料番組であると識別したときに、該番組が有料番組であることをユーザへ通知するための通知画像を画面表示させる、通知画像表示部を備えた構成（第２２の構成）としてもよい。
【００３７】
また上記第２２の構成において、前記通知画像を複数種類記憶する、通知画像記憶部を備え、前記通知画像表示部は、前記複数種類の通知画像のうちの何れかを画面表示させる構成（第２３の構成）としてもよい。
【００３８】
また、前記複数種類の通知画像のうちの何れを表示させるべきかを示す、通知画像選定情報をも含むテレビ放送を受信する、上記第２３の構成に係るテレビ放送受信装置であって、前記通知画像表示部は、該通知画像選定情報に基づいて、何れの前記通知画像を画面表示させるかを定める構成（第２４の構成）としてもよい。
【００３９】
また、前記通知画像の情報をも含むテレビ放送を受信する、上記第２４の構成に係るテレビ放送受信装置であって、前記通知画像表示部は、該通知画像を画面表示させる構成（第２５の構成）としてもよい。
【００４０】
以上の第２１から第２５までの構成の何れかによれば、上述した有料番組提供システムにおけるテレビ放送受信装置として好適である。
【発明の効果】
【００４１】
上述した通り、本発明に係る有料番組提供システムによれば、テレビ放送受信装置は所定の鍵情報が入力された場合にのみ、有料番組の映像情報を画面表示（もしくは、有料番組の映像情報に施されたスクランブル処理を解除）するから、かかる鍵情報を適切に管理することにより、有料番組に視聴制限を加えることができる。また通信サーバは、ＩＤ情報を送信してきた通信端末または該通信端末によりアクセス可能な通信装置へ、鍵情報を送信することとしているから、通信サーバの管理者はＩＤ情報を取得することにより、容易に視聴者の特定等を行うことができる。
【００４２】
また通信サーバは、ＩＤ情報を送信してきた通信端末等に対して鍵情報を送信すればよいため、かかる鍵情報の送信を比較的素早く実行することが可能である。そのため、有料放送を視聴するための鍵情報を、早急にユーザ側へ届けることが容易となる。以上により、ユーザによる有料放送の視聴要求に応じて、早急に視聴を許可するものでありながら、番組提供者にとっては視聴者の特定を容易になし得る有料番組提供システムとすることができる。
【００４３】
また本発明に係るテレビ放送受信装置によれば、上述した有料番組提供システムにおけるテレビ放送受信装置として好適である。
【発明を実施するための最良の形態】
【００４４】
本発明の実施形態として、以下、実施例１から実施例３の各々を挙げて説明する。
【００４５】
［実施例１］
本発明の実施例１として、有料番組提供システムを挙げて説明する。本有料番組提供システムの構成概略を、図１に示す。本図に示すように、有料番組提供システム１は、テレビ放送局２、テレビ放送受信装置３、携帯電話４、通信サーバ５、および電話会社６からなっている。
【００４６】
まずテレビ放送局２について説明する。テレビ放送局２は、番組提供者の作成した番組の内容に係る情報（映像データ等）を、例えばＲＦ信号を用いて、データストリームとして放送する。ここでデータストリームのデータ構造について、図２を参照しながら説明する。
【００４７】
図２に示すように、データストリーム１０は、同期信号１１、データ識別フラグ１２、制御データ１３、同期信号１４、データ識別フラグ１５、および映像データ１６から構成されている。同期信号１１および１４は、それぞれデータの開始を示している。またデータ識別フラグ１２は、制御データ１３が後続することを示しており、データ識別フラグ１５は、映像データ１６が後続することを示している。
【００４８】
そして制御データ１３は、種々の制御に関する情報である。特に、現在有料番組を放送中であるときには、図２に示すように、有料フラグ１３Ａ、認証用サイトアドレス１３Ｂ、通知画像選定情報１３Ｃ、番組識別情報１３Ｄ、およびその他の制御データ１３Ｅを有している。
【００４９】
この有料フラグ１３Ａは、当該放送中の番組が有料番組であるか否かを示している。また認証用サイトアドレス１３Ｂは、当該有料番組を視聴するにあたって認証手続を行うための認証用サイト（ウェブページ）にアクセスためのアドレスを示している。なおこの認証用サイトは、通信サーバ５により提供されている。また通知画像選定情報１３Ｃは、テレビ放送受信装置３において有料番組案内を表示させる際に利用されるものであり、例えば有料番組における視聴料の設定金額ごとに異なるものである。また番組識別情報１３Ｄは、放送中の番組の種類を識別させるための情報であり、後述するように、通信サーバ５が番組の種類を判断する際に利用される。
【００５０】
映像データ１６は、番組の内容に係る映像のデータである。ただし有料番組の場合にはこの映像データ１６にスクランブル処理が施されており、かかるスクランブル処理を解除しなければ、通常通りに番組を視聴することはできない仕組となっている。なお図示していないが、映像データ１６とともに音響データも存在しており、テレビ放送受信装置３において、番組内容に係る音響の出力も可能となっている。
【００５１】
また当該テレビ放送がアナログ放送であっても、垂直帰線期間の走査線にデータ信号を重ねることによって、上述した制御データを送信することが可能である。つまりデジタル放送であるかアナログ放送であるかを問わず、上述したデータストリーム１０に相当するものを放送することは可能である。
【００５２】
次にテレビ放送受信装置（以下、単に「受信装置」と称す）３について説明する。受信装置３は、テレビ放送局２から送信されるテレビ放送を受信し、番組内容の画面表示を行う。この受信装置３の構成について、図３を参照しながら以下に説明する。
【００５３】
図３に示すように、受信装置３は、アンテナ３２、ＲＦ受信回路３３、復調回路３４、映像信号処理回路３５、システム制御回路３６、映像表示部３７、およびＩｒＤＡインターフェース３８などから構成されている。
【００５４】
ＲＦ受信回路３３は、アンテナ３２を通じて取得されたＲＦ信号（テレビ放送の信号）を受信して、後段の回路に伝送する。なおＲＦ受信回路３３は、チューナ回路を備えており、ユーザにより選局されたチャンネルの信号のみが伝送されることとなる。
【００５５】
復調回路３４は、ＲＦ受信回路３３から伝送された信号に基づいて、映像データ１６ならびに制御データ１３を抽出する。この抽出処理は、先述したデータストリーム中の同期信号やデータ識別フラグが参照されてなされる。そして映像データ１６は後段の映像信号処理回路３５へ、制御データ１３はシステム制御回路３６へと伝送される。
【００５６】
映像信号処理回路３５は、復調回路３４あるいはシステム制御回路３６から入力された映像データに基づいて、映像表示部３７に映像を表示させる。またスクランブル解除回路をも有しており、後述する鍵情報が入力された場合には、これを用いたスクランブル解除処理を、スクランブル処理の施されている映像データに対して実行する。また映像表示部３７はブラウン管や液晶ディスプレイ等の映像表示装置を備えている。
【００５７】
システム制御回路３６は、入力される制御データに基づいて、種々の制御を実行する。特に、有料番組のテレビ放送を受信しているとき（有料フラグ１３Ａの内容により認識される）は、入力される認証用サイトアドレス１３Ｂおよび番組識別情報１３Ｄに基づいて、これらの情報の内容が符号化されたＱＲコード（登録商標、以下同様）を生成し、映像信号処理回路３５へ伝送する。なおこれらの処理は、無料番組の受信に関しては不要であるため、有料フラグ１３Ａにより有料番組を受信していると認められる場合にのみ、実行されるようにしておいてもよい。
【００５８】
またシステム制御回路は、図７に示すような有料番組の案内用の画像を、複数種類記憶している。なお当該画像を複数種類設けているのは、有料番組の種類によって視聴料等が異なるため、これに対応するためである。
【００５９】
ＩｒＤＡインターフェース３８は、携帯電話機４等と赤外線通信（ＩｒＤＡ通信）を実行するために設けられたインターフェースである。後述する通り受信装置３は、ＩｒＤＡインターフェースを介して、スクランブル処理を解除するための鍵情報を、携帯電話機４から受取ることが可能となっている。
【００６０】
以上の構成により、受信装置３は、通常の（有料でない）番組のテレビ放送を受信しているときには、放送された映像を映像表示部３７において表示させる。また逆に有料番組のテレビ放送を受信しているときには、放送された映像とともに、システム制御回路３６で生成されたＱＲコードをも表示させる。
【００６１】
なおこのＱＲコードの表示は、放送された映像に重ね合わせるようにして行うものとしても良く、またＱＲコードの表示と放送された映像の表示とを、例えばユーザの指示により切替えて行うものとしても良い。
【００６２】
次に、携帯電話機３について説明する。ここでの携帯電話機４は、図４に示すように、制御部４１、撮像部４２、記憶部４３、デコード処理部４４、通信部４５、操作部４６、ＩｒＤＡインターフェース４７、および表示部４８等を備えている。
【００６３】
制御部４１は、演算制御装置を備えており、携帯電話機４における各装置の動作を制御する。撮像部４２は、ＣＣＤやＣＭＯＳ等の撮像素子を備えており、レンズを介して結像する光学像の情報を取得することができる。これにより、受信装置３の映像表示部に表示されたＱＲコードの情報を取得することが可能である。
【００６４】
記憶部４３は、ＲＡＭ等により構成されており、撮像部４２により取得された画像データ、通信部４５を介して受信した各種データ、および携帯電話機４自身のＩＤ情報等を記憶する。なおこのＩＤ情報は、当該携帯電話機やその所有者を特定し得る情報や、携帯電話機４の所有者と通信回線使用契約を交わしている電話会社を特定し得る情報等を含んでいる。デコード処理部４４は、記憶部４３に記憶されているＱＲコードにデコード処理を施し、取得されたアドレスの情報などを記憶部４３に戻す。
【００６５】
通信部４５は、アンテナを備えており、通信サーバ５をはじめとする通信装置との間で無線通信（ＲＦ信号の送受信）を行う。また操作部４６は、例えばボタンスイッチを備えており、かかるボタンの操作を通じて、ユーザの意思を反映させた種々の指示情報を取得する。ＩｒＤＡインターフェース４７は、赤外線通信（ＩｒＤＡ通信）を実行するためのインターフェースであり、受信装置３におけるＩｒＤＡインターフェース３８に対応している。また表示部４８はディスプレイを備えており、種々の画面表示を行う。
【００６６】
以上の構成により携帯電話機４は、受信装置３が表示するＱＲコードの情報を取得するとともに、このアドレスにより接続される通信サーバ５との通信を行うことが可能である。
【００６７】
次に、通信サーバ５について説明する。通信サーバ５は、図５に示すように、通信部５１、制御部５２、および記憶部５３等を備えているものであり、有料番組の提供者などにより管理されている。通信部５１は、携帯電話機４をはじめとする通信装置との間で無線通信（ＲＦ信号の送受信）を実行する。制御部５２は、通信サーバ５の各装置を制御する。
【００６８】
また記憶部は、携帯電話機４等からのアクセスがあった場合に、有料番組の視聴を認証するための認証用サイトを提供するための情報、有料番組の内容や視聴料に関する情報、および有料番組の映像データに施されているスクランブルを解除するための鍵情報などが、予め記憶されている。また通信端末４からＩＤ情報などが送信されてきた場合には、これらを記憶する。
【００６９】
なお電話会社６は、携帯電話機４の所有者との間で、無線電話回線の使用等に関する契約を予め結んでいるものである。これにより、当該所有者に無線通信サービス等を提供する代わりに、例えば銀行口座への振込みを通じて通信料金を徴収するようにしている。
【００７０】
次に、以上に説明した有料番組提供システム１において、ユーザが有料番組を視聴するまでに行われる処理の流れを、図６のフローチャートを参照しながら説明する。
【００７１】
受信装置３は、先述した通り、有料番組の受信に伴って、取得された映像データ（スクランブル処理がなされている）を表示するとともに、認証用サイトアドレス１３Ｂおよび番組識別情報１３Ｄの内容が符号化されたＱＲコードを画面表示する（ステップＳ１１）。なおこれら双方の表示は、不図示のユーザインタフェースを通じて、ユーザによって自在に切替ることができるものとする。
【００７２】
ここでＱＲコードが表示されている状態の一例を、図７に示す。このようにＱＲコード１７だけでなく、予め受信装置３に記憶されている複数の有料番組の案内用の画像（通知画像）の何れかが表示される。何れの有料番組案内を表示させるかは、受信している通知画像選定情報１３Ｃによって決定される。
【００７３】
また有料番組の受信時において、受信装置３は、スクランブル処理を解除するための鍵情報（解除鍵）の入力の有無を監視している（ステップＳ１２）。なお鍵情報が入力された後は、この監視を行わないようにしてもよく、また上述したＱＲコード１７の表示を行わないようにしてもよい。
【００７４】
一方、携帯電話機４では、通信サーバ５による鍵情報の送信の有無（ステップＳ２１）や、撮像部４２を通じたＱＲコード１７の入力の有無（ステップＳ２３）を監視している。この状態で、ユーザがステップＳ１１にて表示されているＱＲコード１７を携帯電話機４に取り込むと（ステップＳ２３のＹ）、携帯電話機４はＱＲコード１７の内容をデコードし、得られたアドレスに基づいて通信サーバにアクセスする（ステップＳ２４）。
【００７５】
なおステップＳ２３からＳ２４へ移行する際に、例えば携帯電話機４に、図８に示すような表示を行わせ、認証サイトへのアクセスの許否をユーザに選択させるようにしてもよい。ここでアクセスが拒否された場合は、ＱＲコード１７のデータを破棄するとともに、ステップＳ２１の処理に戻る。
【００７６】
そしてステップ２４の後、携帯電話機４は、自身に割り当てられているＩＤ情報を通信サーバ５に送信するとともに、携帯電話機４（あるいは携帯電話機４に対応するメールサーバ等）へ鍵情報を送信するように、通信サーバ５へ要求する（ステップＳ２５）。
【００７７】
なおステップＳ２４からＳ２５へ移行する際に、通信サーバ５は、例えば携帯電話機４に図９に示すような表示を行わせ、ユーザにおける視聴料支払い等の意志の有無を確認するようにしてもよい。ここで視聴料支払いの意志や有料番組を視聴する意志がない場合は、ステップＳ２５の処理に進まないこととする。
【００７８】
また一方、通信サーバ５は、携帯電話機４による鍵情報送信の要求の有無を監視している（ステップＳ３１）。そこでステップＳ２５に係る要求があった場合は（ステップＳ３１のＹ）、携帯電話機のＩＤ情報を取得するとともに、鍵情報を携帯電話機４（あるいは携帯電話機４に対応するメールサーバ等）に送信する（ステップＳ３２）。
【００７９】
ステップＳ３２により鍵情報が送信されてきたら（ステップＳ２１のＹ）、携帯電話機４はその鍵情報を受信する（ステップＳ２２）。このとき携帯電話機４は、例えば図１０に示すような表示を行い、現在の状態をユーザに報知するようにしてもよい。さらにその後図１１に示すような表示を行い、ユーザに、受信装置３への鍵情報の送信を促すこととしてもよい。
【００８０】
また、携帯電話機４に図９のような表示などを行わせるプログラムを、予め通信サーバ５に記憶させておき、携帯電話機４からのアクセスがあったときに、このプログラムを携帯電話機４側に送信させるようにしておいてもよい。
【００８１】
携帯電話機４が鍵情報を取得した状態で、ユーザがＩｒＤＡインターフェースを介して受信装置３に鍵情報を入力すると（ステップＳ１２のＹ）、受信装置３では、以降の有料番組の映像データに施されたスクランブル処理に対して、当該鍵情報を用いた解除処理を実行する（ステップＳ１３）。その結果、鍵情報が正規のものであれば、スクランブルは解除され、有料番組の内容が正常に映像出力されることとなる。
【００８２】
また有料番組提供者は、携帯電話機４から取得したＩＤ情報に基づいて、携帯電話機４が契約している電話会社に対して、有料番組の視聴料を請求する。電話会社は、かかる請求に応じて、視聴料の支払いを代行する一方、視聴者の銀行口座から視聴料相当分を引き落とすこととする。
【００８３】
以上に説明した一連の処理により、視聴者は有料番組を視聴することができる。ここで視聴者が有料番組を視聴するためには、主に、携帯電話機４により受信装置３からＱＲコードを読み取る処理、携帯電話機４により通信サーバ５にアクセスして鍵情報を取得する処理、および鍵情報を受信装置３に入力する処理を経るだけで足りる。そのため、有料番組提供者との間で事前の視聴契約などがなくても、視聴者は長く待たされることなく、有料番組を視聴することができる。
【００８４】
また有料番組提供者の側から見ると、視聴者が使用している携帯電話機４のＩＤ情報を取得することができるために、事前に視聴者との番組視聴契約などがなされていなくても、容易に視聴料を徴収することができる。つまりＩＤ情報により、有料番組の視聴者や、当該視聴者が契約している電話会社を特定することが可能であるため、事後的にでも、容易に視聴料を徴収することが可能である。
【００８５】
なお本実施例の受信装置３では、有料番組の映像データにスクランブルを施すものとしているが、その代わりに、もしくはこれに加えて、映像データの画面表示自体を制限するものとしてもよい。例えば、制御データ１３にも鍵情報を組み込んでおき、携帯電話機４から送信されてくる鍵情報がこれと一致していないと、かかる画面表示が実行されないようにしておいてもよい。
【００８６】
［実施例２］
次に本発明の実施例２について説明する。なお本実施例は、テレビ放送局２から送信されるストリームデータの内容、ならびに、受信装置３における有料番組案内の表示に関する事項を除いては、基本的に実施例１と同様の構成であるため、重複する説明は省略する。
【００８７】
本実施例におけるストリームデータの内容を図１２に示す。このようにストリームデータ１０については、通知画像選定情報１３Ｃの代わりに有料案内表示データ１３Ｆが挿入されている点で、実施例１のものとは異なっている。この有料案内表示データ１３Ｆは、実施例１における有料番組案内を表示させるデータに相当するものである。
【００８８】
つまり実施例１では、予め受信装置３が有料番組案内を表示させるデータを複数しており、通知画像選定情報１３Ｃの内容に応じて、そのうちの何れかを表示させることとしていたが、本実施例では、有料番組案内を表示させるデータそのものを、テレビ放送局２から受信するものとしている。
【００８９】
そのため本実施例では、実施例１に比べてストリームデータ１０に占める制御データ１３の割合が増大することとなるが、有料番組案内の内容の自由度を向上させることが可能となる。その結果、番組の内容・種類に応じて、より正確かつ詳細な有料番組案内を表示させることが可能となる。
【００９０】
［実施例３］
次に本発明の実施例３について説明する。なお本実施例は、鍵情報に暗号化処理を施す点を除いては、基本的に実施例１と同様の構成であるため、重複する説明は省略する。
【００９１】
本実施例では、携帯電話機から受信装置へ赤外線通信を利用して送信される鍵情報について、公開鍵暗号の手法を応用した暗号化処理を採用している。なお公開鍵暗号の手法とは、互いにペアとなる公開鍵と秘密鍵を用いるものであり、公開鍵で暗号化された情報を復号するには、これに対応する秘密鍵が必要であることを利用するものである。公開鍵暗号の手法としては、例えば素因数分解の困難性を利用したＲＳＡ方式などがある。
【００９２】
以下、図１３のフローチャートを参照しながら、本実施例における処理の内容について説明する。まず番組提供者は、ペアとなる公開鍵（以下、適宜「Ｋｐｕ」とする）と秘密鍵（以下、適宜「Ｋｐｒ」とする）、および、映像情報に施されたスクランブル処理を解除するための鍵情報（以下、適宜「Ｋｓ」とする）を作成しておく。そして当該Ｋｐｕを放送局２に提供し、ＫｐｒとＫｓを通信サーバに記憶させる（ステップＳ４１）。
【００９３】
これを受け放送局２は、制御データ１３の中にＫｐｕを含めて放送する（ステップＳ５１）。一方通信サーバは、携帯電話機からＫｐｒとＫｓの送信要求があるか否かを監視し（Ｓ６１）、要求がある場合は、ＫｐｒとＫｓを当該携帯電話機に送信する（ステップＳ６２）
【００９４】
また受信装置３では、放送局２からＫｐｕが受信されたら（ステップＳ７２）、セッション鍵（乱数）が生成される（ステップＳ７３）。そして受信装置３は、Ｋｐｕでセッション鍵を暗号化するとともに（ステップＳ７４）、この暗号化されたセッション鍵をＱＲコード１７に組み込むこととする（ステップＳ７５）。
【００９５】
この暗号化されたセッション鍵は、撮像部４２を通じてＱＲコードが読み込まれることにより、携帯電話機４によって取得される（ステップＳ８１のＹ）。そしてその後、通信サーバ５にアクセスしたときに、ＫｐｒとＫｓの送信を要求することとする（ステップＳ８２）。これにより先述した通り、通信サーバはＫｐｒとＫｓを携帯電話機４に送信する（ステップＳ６２）。
【００９６】
ここで携帯電話機４と通信サーバ５との間における通信（ステップＳ８２、およびＳ６２）については、ＳＳＬ［Secure Socket Layer］を用いることにより、通信の安全性を高めている。なおこれらの通信において、通信サーバ５が、携帯電話機のＩＤ情報を取得しておくことは、実施例１の場合と同様である。
【００９７】
ステップＳ６２の処理がなされた時点で、携帯電話機４は、Ｋｐｒにより暗号化されたセッション鍵、Ｋｐｕ、およびＫｓを取得していることになる。そこで携帯電話機４は、まずＫｐｕを用いて、セッション鍵に施されている暗号化処理を解除（復号）する（ステップＳ８４）。そしてその後、復号されたセッション鍵を用いて、Ｋｓに対して暗号化処理を施す（ステップＳ８５）。
【００９８】
暗号化処理のなされたＫｓが、赤外線通信により受信装置３へ送信されると（ステップＳ７１のＹ）、受信装置は暗号化を解除してＫｓを取得し、以降、Ｋｓを用いて映像信号に施されているスクランブルを解除する（ステップＳ７６）。なおセッション鍵は受信装置３自身が生成したものであるため、受信装置３と携帯電話機４の間で符号化・復号処理の方式を整合させておけば、受信装置３においてＫｓに係る暗号化の解除は可能である。またセッション鍵については、受信装置３内部で毎回（例えば、セッション鍵の送信・受信が１セット実行される度に）発生し直すようにしておけば、より安全性を向上させることができる。
【００９９】
以上により、携帯電話機４から受信装置３へ、赤外線通信を通じて鍵情報を送信する際、鍵情報はセッション鍵により暗号化されているため、例えば学習リモコンなどの使用による鍵情報の不正入手を、防止することが可能となっている。またＱＲコードに組み込まれるセッション鍵についても、Ｋｐｕにより暗号化されているため、不正取得の防止が可能となっている。なお上述した処理の流れについての概要を、図１４に示しておく。
【０１００】
［まとめ］
以上までに説明した本発明の実施形態の構成内容について、その概要を図１５に簡潔に示しておく。このように本有料番組提供システム１によれば、受信装置３は所定の鍵情報が入力された場合にのみ、有料番組の映像情報を画面表示（もしくは、有料番組の映像情報に施されたスクランブル処理を解除）するから、かかる鍵情報を適切に管理することにより、有料番組に視聴制限を加えることが可能となっている。また通信サーバ５は、ＩＤ情報を送信してきた携帯電話機４等へ、鍵情報を送信することとしているから、通信サーバ５を管理する有料番組の提供者はかかるＩＤ情報を取得することにより、容易に視聴者の特定等を行うことができる。
【０１０１】
また通信サーバ５は、ＩＤ情報を送信してきた携帯電話機４に対して鍵情報を送信すればよいため、かかる鍵情報の送信を比較的素早く実行することが可能である。そのため、有料放送を視聴するための鍵情報を、早急にユーザ側へ届けることが容易となる。以上により、ユーザによる有料放送の視聴要求に応じて、早急に視聴を許可するものでありながら、番組提供者にとっては視聴者の特定を容易になし得る有料番組提供システムとなっている。
【０１０２】
以上の通り、本発明の実施形態について説明したが、本発明はこれらに限定されるものではなく、本発明の主旨を逸脱しない範囲において種々の変形が可能である。また各実施例の内容は、矛盾の無い限り、互いに組み合わせて実施することが可能である。
【産業上の利用可能性】
【０１０３】
本発明は、テレビ放送における有料番組を提供するためのシステム等において、有用である。
【図面の簡単な説明】
【０１０４】
【図１】本発明の実施形態に係る有料番組提供システムの構成概略図である。
【図２】本発明の実施例１などにおける、ストリームデータの構成概略図である。
【図３】本発明の実施形態におけるテレビ放送受信装置の構成図である。
【図４】本発明の実施形態における携帯電話機の構成図である。
【図５】本発明の実施形態における通信サーバの構成図である。
【図６】本発明の実施形態における有料番組提供システムの処理の流れ図である。
【図７】本発明の実施形態に係る、テレビ放送受信装置の画面表示を示す図である。
【図８】本発明の実施形態に係る、携帯電話機の画面表示を示す図である。
【図９】本発明の実施形態に係る、携帯電話機の画面表示を示す図である。
【図１０】本発明の実施形態に係る、携帯電話機の画面表示を示す図である。
【図１１】本発明の実施形態に係る、携帯電話機の画面表示を示す図である。
【図１２】本発明の実施例２における、ストリームデータの構成概略図である。
【図１３】本発明の実施形態に係る鍵情報の暗号化に関する処理の流れ図である。
【図１４】本発明の実施形態に係る鍵情報の暗号化に関する説明図である。
【図１５】本発明の実施形態における、有料番組提供システムの内容に関する説明図である。
【符号の説明】
【０１０５】
１      有料番組提供システム
２      テレビ放送局
３      テレビ放送受信装置
４      携帯電話機（通信端末）
５      通信サーバ
６      電話会社
１０      ストリームデータ
１１      同期信号
１２      データ識別フラグ（制御データが後続することを示す）
１３      制御データ
１３Ａ    有料フラグ（有料識別情報）
１３Ｂ    認証用サイトアドレス（アドレス情報）
１３Ｃ    通知画像選定情報
１３Ｄ    番組識別情報
１３Ｆ    有料案内表示データ（通知画像の情報）
１４      同期信号
１５      データ識別フラグ（映像データが後続することを示す）
１６      映像データ
１７      ＱＲコード
３２      アンテナ
３３      ＲＦ受信回路
３４      復調回路
３５      映像信号処理回路
３６      システム制御回路
３７      映像表示部
３８      ＩｒＤＡインターフェース（赤外線通信手段）
４１      制御部
４２      撮像部
４３      記憶部
４４      デコード処理部
４５      通信部
４６      操作部
４７      ＩｒＤＡインターフェース（赤外線通信手段）
４８      表示部
５１      通信部
５２      制御部
５３      記憶部
【図２】
2008103786.tif 000003
【図３】
2008103786.tif 000004
【図４】
2008103786.tif 000005
【図５】
2008103786.tif 000006
【図６】
2008103786.tif 000007
【図７】
2008103786.tif 000008
【図８】
2008103786.tif 000009
【図９】
2008103786.tif 000010
【図１０】
2008103786.tif 000011
【図１１】
2008103786.tif 000012
【図１２】
2008103786.tif 000013
【図１３】
2008103786.tif 000014
【図１】
2008103786.tif 000015
【図１４】
2008103786.tif 000016
【図１５】
2008103786.tif 000017